(57)【特許請求の範囲】
【請求項１】
キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして移動端末（２）と呼接続を行なってキャリアアグリゲーションの試験を行なう移動端末試験装置（１）であって、
前記移動端末にハンドオーバーを実行させて、前記ハンドオーバー前の複数の前記セカンダリコンポーネントキャリアの１つのコンポーネントキャリアを該コンポーネントキャリアに設定されたパラメータに基づいて前記プライマリコンポーネントキャリアとして接続させ、前記ハンドオーバー前の前記プライマリコンポーネントキャリアを該コンポーネントキャリアに設定されたパラメータに基づいて前記セカンダリコンポーネントキャリアとして接続させる制御部（１５）を備える移動端末試験装置。
【請求項２】
前記制御部は、前記ハンドオーバー実行前に、前記セカンダリコンポーネントキャリアの出力を停止させる請求項１に記載の移動端末試験装置。
【請求項３】
前記制御部は、前記ハンドオーバー実行前に、前記プライマリコンポーネントキャリアの送受信レベルを変更させる請求項１または２に記載の移動端末試験装置。
【請求項４】
前記制御部は、前記セカンダリコンポーネントキャリアの１つのコンポーネントキャリアに設定されたパラメータと、前記プライマリコンポーネントキャリアに設定されたパラメータの一部のみを入れ替える請求項１から３のいずれか１項に記載の移動端末試験装置。
【請求項５】
キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして移動端末と呼接続を行なってキャリアアグリゲーションの試験を行なう移動端末試験装置のパラメータ入替方法であって、
前記移動端末にハンドオーバーメッセージを送信して前記移動端末にハンドオーバーを実行させるステップと、
前記ハンドオーバー前の複数の前記セカンダリコンポーネントキャリアの１つのコンポーネントキャリアを該コンポーネントキャリアに設定されたパラメータに基づいて前記プライマリコンポーネントキャリアとして接続させるステップと、
前記ハンドオーバー前の前記プライマリコンポーネントキャリアを該コンポーネントキャリアに設定されたパラメータに基づいて前記セカンダリコンポーネントキャリアとして接続させるステップと、を備えるパラメータ入替方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
特許文献１には、キャリアアグリゲーションの試験を行なうことができるようにした試験装置が記載されている。
【先行技術文献】
【特許文献】
【０００５】
【特許文献１】特開２０１４−２７６５６号公報
【発明の概要】
【発明が解決しようとする課題】
【０００６】
３ＧＰＰ  Ｒｅｌｅａｓｅ１０以降の規格では、キャリアアグリゲーションの呼接続状態における送信信号または受信信号の評価を行なう測定規格が定義されている。この測定規格においては、コンポーネントキャリア（Component Carrier、以下、ＣＣともいう）と呼ばれるＬＴＥキャリアが、所定のＲＭＣ（Reference Measurement Channel）で構成されている条件で、プライマリコンポーネントキャリア（Primary CC、以下、ＰＣＣともいう）である状態と、セカンダリコンポーネントキャリア（Secondary CC、以下、ＳＣＣともいう）である状態と、の両方で送信試験及び受信試験を行なう必要がある。
【０００７】
なお、ＰＣＣは、移動体通信端末が基地局との接続を維持するために必要なＣＣである。ＳＣＣは、移動体通信端末と基地局との伝送速度を向上させるために使用されるＣＣであり、ＰＣＣに付随するＣＣである。
【０００８】
このような試験を行なうにあたり、擬似基地局として動作する移動端末試験装置では、ＰＣＣの状態での試験とＳＣＣの状態での試験とを切り替える場合、いったんＣＣの接続を切断し、試験条件に必要な試験装置の各パラメータの設定を行ない、ＣＣの呼接続をやり直さなければならず、試験実施に手間がかかり、試験時間が長くなってしまう。
【０００９】
そこで、本発明は、ＰＣＣとＳＣＣの設定パラメータの入れ替えを容易にして、キャリアアグリゲーションの試験の簡易性を向上させることができ、試験時間を短縮させることができる移動端末試験装置を提供することを目的としている。
【課題を解決するための手段】
【００１０】
本発明の移動端末試験装置は、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置であって、移動端末にハンドオーバーを実行させて、ハンドオーバー前の複数のセカンダリコンポーネントキャリアの１つのコンポーネントキャリアをそのコンポーネントキャリアに設定されたパラメータに基づいてプライマリコンポーネントキャリアとして接続させ、ハンドオーバー前のプライマリコンポーネントキャリアをそのコンポーネントキャリアに設定されたパラメータに基づいてセカンダリコンポーネントキャリアとして接続させる制御部を備えるものである。
【００１１】
この構成により、ハンドオーバーの実行で、呼接続されたままＰＣＣとＳＣＣの設定パラメータが入れ替えられる。このため、ＰＣＣとＳＣＣの設定パラメータの入れ替えが容易になり、キャリアアグリゲーションの試験の簡易性を向上させることができ、試験時間を短縮させることができる。
【００１２】
また、本発明の移動端末試験装置において、制御部は、ハンドオーバー実行前に、セカンダリコンポーネントキャリアの出力を停止させるものである。
【００１３】
この構成により、セカンダリコンポーネントキャリアの信号がプライマリコンポーネントキャリアの信号に干渉することを防ぐことができ、ハンドオーバーを確実に実行させ、試験時間を短縮させることができる。
【００１４】
また、本発明の移動端末試験装置において、制御部は、ハンドオーバー実行前に、プライマリコンポーネントキャリアの送受信レベルを変更させるものである。
【００１５】
この構成により、プライマリコンポーネントキャリアの送受信レベルをシグナリングに適したレベルに変更させることができ、ハンドオーバーを確実に実行させ、試験時間を短縮させることができる。
【００１６】
また、本発明の移動端末試験装置において、制御部は、セカンダリコンポーネントキャリアの１つのコンポーネントキャリアに設定されたパラメータと、プライマリコンポーネントキャリアに設定されたパラメータの一部のみを入れ替えるものである。
【００１７】
この構成により、一部のパラメータのみの入れ替えで済み、試験時間を短縮させることができる。
【００１８】
また、本発明のパラメータ入替方法は、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置のパラメータ入替方法であって、移動端末にハンドオーバーメッセージを送信して移動端末にハンドオーバーを実行させるステップと、ハンドオーバー前の複数のセカンダリコンポーネントキャリアの１つのコンポーネントキャリアをそのコンポーネントキャリアに設定されたパラメータに基づいてプライマリコンポーネントキャリアとして接続させるステップと、ハンドオーバー前のプライマリコンポーネントキャリアをそのコンポーネントキャリアに設定されたパラメータに基づいてセカンダリコンポーネントキャリアとして接続させるステップと、を備えるものである。
【００１９】
この構成により、ハンドオーバーの実行で、呼接続されたままＰＣＣとＳＣＣの設定パラメータが入れ替えられて移動端末と接続される。このため、ＰＣＣとＳＣＣの設定パラメータの入れ替えが容易になり、キャリアアグリゲーションの試験の簡易性を向上させることができ、試験時間を短縮させることができる。
【発明の効果】
【００２０】
本発明は、ＰＣＣとＳＣＣの設定パラメータの入れ替えを容易にして、キャリアアグリゲーションの試験の簡易性を向上させることができ、試験時間を短縮させることができる移動端末試験装置を提供することができる。
【図面の簡単な説明】
【００２１】
【図１】図１は、本発明の一実施形態に係る移動端末試験装置のブロック図である。
【図２】図２は、本発明の一実施形態に係る移動端末試験装置のコンポーネントキャリアに設定するパラメータの例を示す図である。
【図３】図３は、本発明の一実施形態に係る移動端末試験装置のパラメータ入替処理を示すシーケンス図である。
【図４】図４は、本発明の一実施形態に係る移動端末試験装置のパラメータ入れ替えによる変化を示す図である。
【発明を実施するための形態】
【００２２】
以下、図面を参照して、本発明の実施形態について詳細に説明する。
図１において、本発明の一実施形態に係る移動端末試験装置１は、擬似基地局として同軸ケーブル等を介して有線で移動端末２と無線信号を送受信するようになっている。なお、移動端末試験装置１は、アンテナを介して無線で移動端末２と信号を送受信するようにしてもよい。移動端末試験装置１は、ＬＴＥ−Ａの規格に対応しており、キャリアアグリゲーション技術により移動端末２との間で通信できるようになっている。
【００２３】
移動端末試験装置１は、無線信号処理部１０と、無線ハードウェア制御部１１と、複数のコールプロセッシング部１２−０〜ｎと、無線信号測定部１３と、ユーザインターフェース部１４と、制御部１５とを含んで構成されている。
【００２４】
無線信号処理部１０は、移動端末２との間で無線信号を送受信するものである。無線信号処理部１０は、コールプロセッシング部１２−０〜ｎの送信データを、符号化や、変調、周波数変換などして無線信号を生成して送信する。また、無線信号処理部１０は、移動端末２から受信した無線信号を、周波数変換や、復調、復号などしてコールプロセッシング部１２−０〜ｎに出力する。
【００２５】
無線ハードウェア制御部１１は、無線信号処理部１０を制御して、無線信号の送受信レベルや周波数を制御するものである。
【００２６】
コールプロセッシング部１２−０〜ｎは、無線信号処理部１０及び無線ハードウェア制御部１１と接続され、設定されたパラメータに従って無線ハードウェア制御部１１に設定信号を送信して無線信号処理部１０に試験条件に適合した無線信号を送信させる。また、コールプロセッシング部１２−０〜ｎは、無線信号処理部１０を介して移動端末２との間で無線信号を送受信して、コンポーネントキャリアとしての試験条件に適合した呼接続を移動端末２との間で行なったり、試験条件に対応したコンポーネントキャリアとしての呼制御を行なったりするものである。すなわち、一つのコールプロセッシング部１２−０〜ｎが一つのコンポーネントキャリアとして動作する。
【００２７】
本実施形態の移動端末試験装置１は、複数のコールプロセッシング部１２−０〜ｎを備え、複数のコンポーネントキャリアによるキャリアアグリゲーションに対応するようになっている。
【００２８】
無線信号測定部１３は、無線信号処理部１０と接続され、無線信号処理部１０の送受信する無線信号の送受信レベルやＥＶＭ（Error Vector Magnitude）などを測定し、測定結果を制御部１５に出力するようになっている。制御部１５は、無線信号測定部１３からの測定結果を時刻情報などと関連付けてハードディスク等に記憶しておき、ユーザの要求によりユーザインターフェース部１４に表示出力させたり、ログとしてファイルに出力したりするようになっている。
【００２９】
ユーザインターフェース部１４は、ユーザからの操作入力を受け付ける入力部１４１と、試験用パラメータの設定画面や無線信号測定部１３の測定結果などを表示する表示部１４２とを備えている。入力部１４１は、タッチパッドやキーボードやプッシュボタンなどによって構成される。表示部１４２は、液晶表示装置などによって構成される。
【００３０】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３１】
制御部１５のＲＯＭ及びハードディスク装置には、各種制御定数や各種マップ等とともに、当該コンピュータユニットを制御部１５として機能させるためのプログラムが記憶されている。すなわち、制御部１５において、ＣＰＵがＲＯＭ及びハードディスク装置に記憶されたプログラムを実行することにより、当該コンピュータユニットは、制御部１５として機能する。
【００３２】
制御部１５の入出力ポートには、無線ハードウェア制御部１１、コールプロセッシング部１２−０〜ｎ、無線信号測定部１３、ユーザインターフェース部１４が接続され、制御部１５と各部は信号の送受信をできるようになっている。
【００３３】
なお、本実施形態において、無線ハードウェア制御部１１、コールプロセッシング部１２−０〜ｎ、無線信号測定部１３は、各処理を実行するようにプログラミングされたＤＳＰ（Digital Signal Processor）等のプロセッサによってそれぞれ構成されている。また、無線信号処理部１０は、通信モジュールによって構成されている。
【００３４】
制御部１５は、表示部１４２に表示させたパラメータ設定画面に従って設定されたパラメータに基づいて、無線ハードウェア制御部１１に設定信号を送信して無線信号処理部１０による無線信号のパラメータを制御したり、コールプロセッシング部１２−０〜ｎに設定パラメータを通知してＣＣのパラメータを制御して試験のための設定を行なったりして、移動端末２との間で設定されたパラメータに適合した呼接続を行ない、移動端末２との間で送受信される無線信号を無線信号測定部１３により測定するようになっている。
【００３５】
また、制御部１５は、入力部１４１に入力された指示に従って、無線ハードウェア制御部１１及びコールプロセッシング部１２−０〜ｎに信号を送信して、試験用の呼制御などを行なわせるようになっている。
【００３６】
具体的には、まず、ユーザにより試験に使用するＣＣのパラメータ設定が行なわれる。制御部１５は、ユーザによる入力部１４１の操作によりパラメータ設定の機能が選択されると、例えば、表示部１４２にパラメータ設定画面を表示させて、図２に示すようなパラメータを設定させる。
【００３７】
図２において、「Frame Structure」は、デュプレックスモードを表し、本実施形態においては、「FDD」（Frequency Division Duplex）及び「TDD」（Time Division Duplex）の中から選択される。なお、「Frame Structure」の初期値は、「FDD」に設定されている。
【００３８】
「Channel Bandwidth」は、チャネル帯域幅を表し、「１．４ＭＨｚ」、「３ＭＨｚ」、「５ＭＨｚ」、「１０ＭＨｚ」、「１５ＭＨｚ」及び「２０ＭＨｚ」の中から選択される。なお、「Channel Bandwidth」の初期値は、「５ＭＨｚ」に設定されている。
【００３９】
「UL Channel」は、アップリンク（移動端末２から移動端末試験装置１に向かうリンク）のチャネルを表し、「０」〜「６５５３５」の設定範囲が規定されている。なお、「UL Channel」の初期値は、「１８３００」に設定されている。
【００４０】
「DL Channel」は、ダウンリンク（移動端末試験装置１から移動端末２に向かうリンク）のチャネルを表し、「０」〜「６５５３５」の設定範囲が規定されている。なお、「DL Channel」の初期値は、「３００」に設定されている。
【００４１】
「Operation Band」は、動作帯域を表し、「１」〜「４３」の設定範囲が規定されている。なお、「Operation Band」の初期値は、「１」に設定されている。
【００４２】
「Output Level」は、全てのチャネルの出力レベルの合計を表し、「−１２０．０ｄＢｍ」〜「−１０．０ｄＢｍ」の設定範囲が規定されている。なお、「Output Level」の初期値は、「−６０．２ｄＢｍ」に設定されている。
【００４３】
「External Loss」は、外部ロスの状態を表し、「ＯＮ」、「ＯＦＦ」及び「ＣＯＭＭＯＮ」の中から選択される。なお、「External Loss」の初期値は、「ＯＦＦ」に設定されている。
【００４４】
「UL RMC」は、アップリンク信号のＲＭＣに関するパラメータのグループを表し、「Number of RB」、「Starting RB」、「RB Pos.」、「MCS Index」及び「Modulation」の各パラメータを含んでいる。
【００４５】
「Number of RB」は、割り当てるＲＢ（Resource Block、リソースブロック）の数を表し、「０」〜「１００」の設定範囲が規定されている。なお、「Number of RB」の初期値は、「２５」に設定されている。
【００４６】
「Starting RB」は、ＲＢの開始番号を表し、「０」〜「９９」の設定範囲が規定されている。なお、「Starting RB」の初期値は、「０」に設定されている。
【００４７】
「RB Pos.」は、ＲＢを割り当てる位置を表し、「ＭＩＮ」、「ＭＩＤ」及び「ＭＡＸ」の中から選択される。なお、「RB Pos.」の初期値は、「ＭＩＮ」に設定されている。
【００４８】
「MCS Index」は、ＭＣＳ（Modulation and Coding Scheme）のインデックスを表し、「０」〜「２８」の設定範囲が規定されている。なお、「MCS Index」の初期値は、「５」に設定されている。また、「MCS Index」は、「Modulation」等の値が変更されると、その設定値が連動して変更される。
【００４９】
「Modulation」は、変調方式を表し、「ＱＰＳＫ」（Quadrature Phase Shift Keying）及び「１６ＱＡＭ」（16 Quadrature Amplitude Modulation）の中から選択される。なお、「Modulation」の初期値は、「ＱＰＳＫ」に設定されている。また、「Modulation」は、「MCS Index」等の値が変更されると、その設定値が連動して変更される。
【００５０】
「DL RMC」は、ダウンリンク信号のＲＭＣに関するパラメータのグループを表し、上述の「UL RMC」と同様、ダウンリンク信号の「Number of RB」、「Starting RB」、「RB Pos.」、「MCS Index」及び「Modulation」の各パラメータを含んでいる。
【００５１】
「CFI」は、ダウンリンク信号における制御チャネルに対して割当可能なＯＦＤＭ（Orthogonal Frequency-Division Multiplexing）シンボル数を示すＣＦＩ（Control Format Indicator）を表す。
【００５２】
「Uplink Downlink Configuration」は、デュプレックスモードがＴＤＤの場合のサブフレームのアップリンク信号やダウンリンク信号などの割り当て方法を表し、「０」〜「６」の設定範囲が規定されている。
【００５３】
「Special Subframe Configuration」は、デュプレックスモードがＴＤＤの場合のアップリンク信号とダウンリンク信号の衝突を避けるためのスペシャルサブフレームの構成パターンを表し、「０」〜「８」の設定範囲が規定されている。
【００５４】
「ダウンリンク信号の各Physical ChannelのReference Signalに対するPower比」は、ダウンリンク信号の各Physical Channel（ＰＢＣＨ(Physical Broadcast Channel)、ＰＤＳＣＨ(Physical Downlink Shared Channel)など）の出力パワーのReference Signalに対する比率を表す。
【００５５】
「ＣＣの報知情報」は、ＣＣごとにＣＣの情報を移動端末２に報知する報知情報の内容を表す。
なお、以上、例示として説明してきた各種パラメータの初期値や設定範囲は、現時点のものであり、今後拡張される可能性もある。
【００５６】
ユーザは、目的の試験に合わせて以上のようなパラメータをＣＣごとに設定する。制御部１５は、設定された以上のようなパラメータをＣＣごとにハードディスク装置に記憶するとともに、対応するコールプロセッシング部１２−０〜ｎにパラメータを通知し、コールプロセッシング部１２−０〜ｎが設定されたパラメータに従ってＣＣの制御をできるようにする。
【００５７】
なお、以上のパラメータは、移動端末試験装置１に設定される代表的なパラメータである。このように、移動端末試験装置１は、パラメータの種類、すなわち、設定項目が膨大であるため、移動端末試験装置１にパラメータを設定することは、ユーザにとって非常に煩雑な作業となる。
【００５８】
このようなパラメータを設定した後、ユーザは、移動端末試験装置１と移動端末２とを有線で接続し、移動端末２の電源を入れるなどして位置登録を行なわせ、移動端末試験装置１側で位置登録が正常に行なわれたかを確認する。なお、移動端末試験装置１と移動端末２との間を無線で接続するようにしてもよい。
【００５９】
制御部１５は、位置登録が行なわれた状態で、ユーザによる入力部１４１の操作により呼接続の操作が行なわれると、ユーザに指定されたＣＣに対応するコールプロセッシング部１２−０に呼接続の指示を送信し、呼接続を行なわせる。
【００６０】
制御部１５は、呼接続が行なわれた状態で、ユーザによる入力部１４１の操作により送信試験の実行の操作が行なわれると、無線信号測定部１３に試験実行の指示を送信して、送信信号の試験を行なわせる。制御部１５は、無線信号測定部１３から試験結果の情報を受信すると、ログとしてハードディスク装置に記憶するとともに、表示部１４２に結果等を表示させる。
【００６１】
また、制御部１５は、呼接続が行なわれた状態で、ユーザによる入力部１４１の操作により受信試験の実行の操作が行なわれると、呼接続されたＣＣに対応するコールプロセッシング部１２−０に試験実行の指示を送信して、受信信号の試験を行なわせる。制御部１５は、コールプロセッシング部１２−０から試験結果の情報を受信すると、ログとしてハードディスク装置に記憶するとともに、表示部１４２に結果等を表示させる。
【００６２】
このような移動端末試験装置１によりキャリアアグリゲーションの試験を行なう場合、ユーザは、ＰＣＣとしてのＣＣのパラメータの設定と、１つ以上のＳＣＣとしてのＣＣのパラメータ設定を行ない、移動端末試験装置１と移動端末２とを接続し、位置登録を行なわせる。
【００６３】
制御部１５は、位置登録が行なわれた状態で、ユーザによる入力部１４１の操作により呼接続の操作が行なわれると、ＰＣＣとして設定されたＣＣに対応するコールプロセッシング部１２−０に呼接続の指示を送信し、呼接続を行なわせる。
【００６４】
その後、制御部１５は、ユーザによる入力部１４１の操作によりＳＣＣの呼接続の操作が行なわれると、ＰＣＣとして設定されたＣＣに対応するコールプロセッシング部１２−０にＳＣＣの呼接続の指示を送信し、ＳＣＣとして設定されたＣＣに対応するコールプロセッシング部１２−１に呼接続の指示を送信し、呼接続を行なわせる。
【００６５】
さらに、ユーザによる入力部１４１の操作によりＳＣＣの呼接続の操作が行なわれると、制御部１５は、ＰＣＣとして設定されたＣＣに対応するコールプロセッシング部１２−０にＳＣＣの呼接続の指示を送信し、ＳＣＣとして設定されたＣＣに対応するコールプロセッシング部１２−２に呼接続の指示を送信し、呼接続を行なわせる。
【００６６】
このようにして、ユーザは、試験条件に合ったＰＣＣ及びＳＣＣでの呼接続を行なわせ、パラメータで設定したＲＭＣで構成されているＰＣＣの状態での送信試験及び受信試験を行なう。
【００６７】
ここで、３ＧＰＰ  Ｒｅｌｅａｓｅ１０以降の規格では、同じＲＭＣ構成でのＰＣＣの状態での試験とＳＣＣの状態での試験の両方を行なう必要がある。これをパラメータの設定からやり直すと試験が複雑になり、試験時間が長くなってしまう。
【００６８】
本実施形態の移動端末試験装置１は、ハンドオーバーの機能を使い、ＰＣＣのパラメータとＳＣＣのパラメータを入れ替えることができるようになっている。
【００６９】
制御部１５は、ユーザによる入力部１４１の操作によりパラメータを入れ替えるＰＣＣとＳＣＣ−Ｎが指定され、ハンドオーバー実行の操作が行なわれると、パラメータを入れ替えるＰＣＣとＳＣＣ−Ｎに対応するコールプロセッシング部１２−０、１２−ｎに入れ替えたパラメータを通知し、コールプロセッシング部１２が設定されたパラメータに従ってＣＣの制御をできるようにする。すなわち、コールプロセッシング部１２−０には、コールプロセッシング部１２−ｎに設定されていたパラメータを通知し、コールプロセッシング部１２−ｎには、コールプロセッシング部１２−０に設定されていたパラメータを通知する。
【００７０】
なお、入れ替えるパラメータは、例えば、図２に示す一部のパラメータであってもよい。これにより、一部のパラメータのみの入替えで済むため、試験時間を短縮させることができる。また、一部のパラメータのみ入れ替える場合、制御部１５は、入れ替えるパラメータのみコールプロセッシング部１２−０、ｎに通知するようにしてもよい。これにより、制御部１５からコールプロセッシング部１２−０、ｎへの情報転送量を削減させることができる。
【００７１】
そして、制御部１５は、ＰＣＣに対応するコールプロセッシング部１２−０にハンドオーバー開始指示を送信して移動端末２にハンドオーバーメッセージを送信させる。
【００７２】
ＰＣＣに対応するコールプロセッシング部１２−０は、ハンドオーバーメッセージを移動端末２に送信した後、移動端末２からのハンドオーバー先のＣＣへの接続要求メッセージを受信すると、制御部１５から通知されたパラメータ（コールプロセッシング部１２−ｎに設定されていたパラメータ）に基づいた応答メッセージを送信し、移動端末２からコネクション要求信号を受信すると、制御部１５から通知されたパラメータに基づいてＰＣＣの呼接続を行なう。
【００７３】
その後、ＰＣＣに対応するコールプロセッシング部１２−０は、ＳＣＣに対応するコールプロセッシング部１２―１〜ｎにＳＣＣ再構築指示を送信して、ＳＣＣの呼接続を行なわせる。このとき、コールプロセッシング部１２−ｎは、制御部１５から通知されたコールプロセッシング部１２−０に設定されていたパラメータに基づいてＳＣＣの呼接続を行なう。
【００７４】
このように、本実施形態の移動端末試験装置１は、呼接続状態からハンドオーバーによりＰＣＣとＳＣＣのパラメータを入れ替えているため、ＰＣＣとＳＣＣの試験を切り替えるとき、パラメータの設定からやり直す必要がなく、試験の簡易性を向上させることができ、試験時間を短縮させることができる。
【００７５】
以上のように構成された本実施形態に係る移動端末試験装置１によるパラメータ入替処理について、図３を参照して説明する。
【００７６】
図３に示すように、制御部１５は、ユーザによる入力部１４１の操作によりハンドオーバー実行の操作が行なわれると、ＰＣＣに対応するコールプロセッシング部１２−０に「ハンドオーバー前準備指示」を送信する（ステップＳ１１）。
【００７７】
コールプロセッシング部１２−０は、「ハンドオーバー前準備指示」を受信すると、ＳＣＣに対応するコールプロセッシング部１２−１〜ｎに「出力停止指示」を送信する（ステップＳ１２）。
【００７８】
ＳＣＣに対応するコールプロセッシング部１２−１〜ｎは、「出力停止指示」を受信すると、対応するＳＣＣの出力を止める（ステップＳ１３）。これは、ＳＣＣ信号の干渉によりＰＣＣ信号によるシグナリングに影響が出ないようにするためである。
【００７９】
ＳＣＣに対応するコールプロセッシング部１２−１〜ｎは、対応するＳＣＣの出力を止めると、「処理完了」をＰＣＣに対応するコールプロセッシング部１２−０に送信する
（ステップＳ１４）。
【００８０】
全てのＳＣＣに対応するコールプロセッシング部１２−１〜ｎから「処理完了」を受信すると、ＰＣＣに対応するコールプロセッシング部１２−０は、制御部１５に「ハンドオーバー前準備完了」を送信する（ステップＳ１５）。
【００８１】
ＰＣＣに対応するコールプロセッシング部１２−０から「ハンドオーバー前準備完了」を受信すると、制御部１５は、無線ハードウェア制御部１１に「送受信レベル変更指示」を送信する（ステップＳ１６）。これは、シグナリングのためにＰＣＣの送受信レベルを最適化するためである。
【００８２】
制御部１５から「送受信レベル変更指示」を受信すると、無線ハードウェア制御部１１は、指示されたレベルに送受信レベルを変更し（ステップＳ１７）、変更が完了すると、「処理完了」を制御部１５に送信する（ステップＳ１８）。
【００８３】
無線ハードウェア制御部１１から「処理完了」を受信すると、制御部１５は、ユーザから指定されたＰＣＣとＳＣＣ−Ｎのパラメータを入れ替え（ステップＳ１９）、入れ替えたパラメータを含め、ＰＣＣ及びＳＣＣの全てのパラメータを対応するコールプロセッシング部１２−０〜ｎにハンドオーバー後のパラメータとして「パラメータ通知」を送信する（ステップＳ２０）。
【００８４】
制御部１５から「パラメータ通知」を受信すると、コールプロセッシング部１２−０〜ｎは、受信したパラメータをコールプロセッシング部１２−０〜ｎのＲＡＭに保持し（ステップＳ２１）、保持が完了すると、「パラメータ保持完了」を制御部１５に送信する（ステップＳ２２）。
【００８５】
全てのコールプロセッシング部１２−０〜ｎから「パラメータ保持完了」を受信すると、制御部１５は、ＰＣＣに対応したコールプロセッシング部１２−０に「ハンドオーバー開始指示」を送信する（ステップＳ２３）。
【００８６】
制御部１５から「ハンドオーバー開始指示」を受信すると、ＰＣＣに対応したコールプロセッシング部１２−０は、移動端末２にハンドオーバーメッセージを送信し（ステップＳ２４）、無線ハードウェア制御部１１にＰＣＣ及びＳＣＣの全ての周波数を変更させる「周波数変更指示」を送信し（ステップＳ２５）、ＳＣＣに対応したコールプロセッシング部１２−１〜ｎにＳＣＣを再接続させる「ＳＣＣ再構築指示」を送信する（ステップＳ２６）。
【００８７】
ＰＣＣに対応したコールプロセッシング部１２−０から「ＳＣＣ再構築指示」を受信すると、ＳＣＣに対応したコールプロセッシング部１２−１〜ｎは、保持しているパラメータに従ってＳＣＣを再構築して出力を再開する（ステップＳ２７）。
【００８８】
ＰＣＣに対応したコールプロセッシング部１２−０は、移動端末２に対するハンドオーバーメッセージの応答として、移動端末２からハンドオーバーの切り替え先への接続要求メッセージを受信すると（ステップＳ２８）、制御部１５に「ハンドオーバー完了」を送信する（ステップＳ２９）。
【００８９】
ＰＣＣに対応したコールプロセッシング部１２−０から「ハンドオーバー完了」を受信すると、制御部１５は、ＰＣＣの送受信レベルを設定パラメータ通りに戻すため、無線ハードウェア制御部１１に「送受信レベル変更指示」を送信する（ステップＳ３０）。
【００９０】
制御部１５から「送受信レベル変更指示」を受信すると、無線ハードウェア制御部１１は、指示されたレベルに送受信レベルを変更し（ステップＳ３１）、変更が完了すると、「処理完了」を制御部１５に送信する（ステップＳ３２）。
【００９１】
このようなパラメータ入替処理による動作について図４を参照して説明する。
図４に示すように、ＣＣのパラメータの設定を「条件０」でＰＣＣの状態での試験とＳＣＣの状態での試験を行なおうとしたとき、例えば、まず、ＰＣＣの状態での試験を行なうため、「条件０」の設定を行なったＣＣをＰＣＣとして移動端末２と接続して試験を実行する。
【００９２】
ＰＣＣの状態での試験を終了した後、従来では、全てのＣＣを切断し、パラメータの設定からやり直さなければならなかった。
【００９３】
本実施形態の移動端末試験装置１では、例えば、ＰＣＣとＳＣＣ−Ｎとを指定してハンドオーバーを実行させると、図４の右側に示したように、ＳＣＣ−Ｎのパラメータの設定が「条件０」になり、ＰＣＣのパラメータの設定が「条件Ｎ」になり、パラメータの設定を「条件０」としてＳＣＣでの状態での試験を行なうことができる。
【００９４】
このように、上述の実施形態では、移動端末２にハンドオーバーを実行させ、指定されたＳＣＣのパラメータをハンドオーバー先のＰＣＣのパラメータとして適用させ、ハンドオーバー前のＰＣＣのパラメータを適用させてＳＣＣを接続させる制御部１５を備える。
【００９５】
これにより、ＰＣＣとＳＣＣの試験を切り替えるとき、パラメータの設定からやり直す必要がなく、試験の簡易性を向上させることができ、試験時間を短縮させることができる。
【００９６】
また、制御部１５は、ハンドオーバー実行前にＳＣＣに対応するコールプロセッシング部１２−１〜ｎによりＳＣＣの出力を停止させている。
【００９７】
これにより、ＳＣＣの信号がＰＣＣの信号に干渉することを防ぐことができ、ハンドオーバーを確実に実行させ、試験時間を短縮させることができる。
【００９８】
また、制御部１５は、ハンドオーバー実行前にＰＣＣに対応するコールプロセッシング部１２−０によりＰＣＣの受信レベルをシグナリングに適したレベルに変更させている。
【００９９】
これにより、ＰＣＣの送受信レベルをシグナリングに適したレベルに変更することができ、ハンドオーバーを確実に実行させ、試験時間を短縮させることができる。
【０１００】
また、制御部１５は、ＰＣＣとＳＣＣのパラメータの一部のみ入れ替えるようにしてもよい。
【０１０１】
これにより、一部のパラメータのみの入れ替えで済み、試験時間を短縮させることができる。また、制御部１５からコールプロセッシング部１２−０〜ｎへ入れ替えるパラメータのみ通知するようにすれば、制御部１５とコールプロセッシング部１２−０〜ｎとの間の情報転送量を削減させることができる。
【０１０２】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【０１０３】
１            移動端末試験装置
２            移動端末
１０          無線信号処理部
１１          無線ハードウェア制御部
１２−０〜ｎ  コールプロセッシング部
１３          無線信号測定部
１４          ユーザインターフェース部
１５          制御部
１４１        入力部
１４２        表示部
【図１】
0006034849.tif 000002
【図２】
0006034849.tif 000003
【図３】
0006034849.tif 000004
【図４】
0006034849.tif 000005